(57)【特許請求の範囲】
【請求項１】
光を出射する点状光源と、
前記点状光源が実装され、前記点状光源に電源を供給するコネクタを固定し、平面視で少なくとも対向する二辺を有する固定部を備える回路基板と、
前記点状光源および前記回路基板を保持するフレームと、を備え、
前記フレームの内側部に固定された固定部の二辺のうち一辺において、前記コネクタの挿入孔が近傍配置され、
前記回路基板は、前記固定部の他方の一辺より突出する突出部を有し、
前記突出部は、前記固定部が固定された前記内側部と対向する前記フレームの外側部にまで延在して固定されたことを特徴とする面状光源装置。
【請求項２】
前記回路基板は、前記コネクタの挿入孔の近傍の前記回路基板の前記一辺より突出する突出部をさらに備えたことを特徴とする請求項１記載の面状光源装置。
【請求項３】
前記フレームと嵌合する中間フレームをさらに備え、
前記中間フレームは、前記コネクタの挿入孔と反対の面と対向する位置に突起を備えていることを特徴とする請求項１または２に記載の面状光源装置。
【請求項４】
請求項１乃至３のいずれか１項に記載の面状光源装置上に画像を表示する表示素子を配置した表示装置。
【発明の詳細な説明】
【技術分野】
【０００１】
本発明は、点光源を用いた面状光源装置に関するものであり、例えば液晶パネル等を用いた表示装置および該表示装置に用いられる面状光源装置に関するものである。
【背景技術】
【０００２】
液晶表示装置や看板、誘導灯などは、表示部そのものが発光する自発光型表示装置ではないため、表示部の背面にバックライトなどの面状光源装置が必要となる。面状光源装置には、サイドライト方式（エッジライト方式ともいう）や直下型のものがある。サイドライト方式の面状光源装置は、光源を筐体の側面部に配置するものであり、直下型の面状光源装置は、光源を液晶表示部に対向させた筐体の背面側に配置するものである。
【０００３】
サイドライド方式の面状光源装置には、光源からの光を所望の方向に導くために導光板を用いるものがある。導光板を用いる面状光源装置は、冷陰極管（Ｃｏｌｄ Ｃａｔｈｏｄｅ Ｆｌｕｏｒｅｓｃｅｎｔ Ｌａｍｐ）などの線光源が用いられるものと、発光ダイオード（Ｌｉｇｈｔ Ｅｍｉｔｔｉｎｇ Ｄｉｏｄｅ：以下ＬＥＤと称する）などの点状光源をフレキシブル配線基板（Ｆｌｅｘｉｂｌｅ Ｐｒｉｎｔｅｄ Ｃｉｒｃｕｉｔ Ｂｏａｒｄ：以下ＦＰＣと称する）などの回路基板上に線状に並べて配置するものが用いられている。ＦＰＣはＬＥＤ等の各点状光源に電力を供給するための配線パターンが設けられ、端部にはコネクタが設けられている。このコネクタは、ＦＰＣに電力を供給するドライバなどに形成されたコネクタと接続させて、配線パターンを介して各点状光源に電力を供給している。ＦＰＣの位置がずれると、ＦＰＣに形成されたコネクタと、このコネクタに接続されるコネクタとの間での接続不良が起こる場合がある。
【０００４】
そこで、特許文献１に記載された電気光学装置は、ＦＰＣに設けた張出部と筐体の一部に設けた位置合わせ基準部とによって位置合わせする構造が開示されている。これにより、コネクタ同士の接続不良を防止している。
【０００５】
また、特許文献２に開示された面状光源装置は、フレームの切り欠き部に光源を実装した第二のＦＰＣを嵌入する構造が開示されている。これにより、第二のＦＰＣを適正な位置に係止している。
【先行技術文献】
【特許文献】
【０００６】
【特許文献１】特開２００７−７８９２９号公報
【特許文献２】特開２００５−２６７８８１号公報
【発明の概要】
【発明が解決しようとする課題】
【０００７】
しかしながら、上記の特許文献１および２に開示された構造によれば、ＦＰＣを正確な位置に配置することはできるが、コネクタ同士を挿抜する際に加わる外力の影響により、コネクタ近傍のＦＰＣの位置がずれるという問題があった。面状光源装置において、コネクタ近傍のＦＰＣの位置がずれる事により、コネクタが正確な状態（斜めの状態など）で接続されない場合コネクタの各端子同士の接続不良のため、点状光源に電力が供給されず不点灯となる場合、また、点状光源に電力が安定的に供給されず、放電などの現象が発生してコネクタが損傷する場合がある。
【０００８】
また、コネクタ近傍のＦＰＣの位置がずれることにより、点状光源を実装した部分に対応するＦＰＣも位置がずれてしまうことがあり、導光板を用いる面状光源装置において、点状光源の光が導光板に入り難くなり、輝度低下や輝度ムラ等により表示品位が低下する原因になる。
【０００９】
なお、コネクタの位置がずれることを防止するために一般的な両面粘着テープを用いてＦＰＣを固定することも考えられるが、他の電子部品に形成されたコネクタと挿抜する際に加わる外力が両面粘着テープのコネクタ挿抜（せん断）方向に加わり、両面粘着テープの接着界面でＦＰＣが移動して位置がずれるという問題点があった。また、強力な粘着力を有する両面粘着テープを選定するとコストが高くなるもしくは、厚みが厚くなるなど別の問題が生じる場合があった。
【００１０】
本発明は上記のような問題点を解消するためになされたもので、面状光源装置を構成するＦＰＣに形成されたコネクタとこのコネクタに接続されるコネクタ同士の挿抜時に加わる外力により、コネクタ近傍のＦＰＣの位置がずれることを防止することを目的とする。
【課題を解決するための手段】
【００１１】
本発明の面状光源装置又は表示装置においては、光を出射する点状光源と、点状光源が実装され、点状光源に電源を供給するコネクタを固定し、平面視で少なくとも対向する二辺を有する固定部を備える回路基板と、点状光源および回路基板を保持するフレームと、を備え、フレームの内側部に固定された固定部の二辺のうち一辺において、前記コネクタの挿入孔が近傍配置され、回路基板は、固定部の他方の一辺より突出する突出部を有し、突出部は、固定部が固定された内側部と対向するフレームの外側部にまで延在して固定されたことを特徴とする。
【発明の効果】
【００１２】
本発明の構成によれば、面状光源装置を構成する回路基板（ＦＰＣ）に形成されたコネクタとこのコネクタに接続されるコネクタ同士の挿抜時に加わる外力により、コネクタ近傍の回路基板（ＦＰＣ）の位置がずれることを防止して、信頼性の高い面状光源装置および表示装置を構成することができる。
【図面の簡単な説明】
【００１３】
【図１】本発明にかかる表示装置の分解斜視図である。
【図２】本発明にかかる面状光源装置の分解斜視図である。
【図３】実施の形態１の面状光源装置に用いられるＦＰＣの要部拡大斜視図である。
【図４】実施の形態１の面状光源装置に用いられるＦＰＣの要部拡大斜視図である。
【図５】実施の形態１にかかる面状光源装置の要部拡大図である。
【図６】実施の形態１にかかる面状光源装置を裏面からみた要部拡大図である。
【図７】図６をＡ-Ａ線方向から見た断面図である。
【図８】実施の形態の１の変形例に係るＦＰＣの要部拡大図である。
【図９】実施の形態の１の変形例に係るＦＰＣの要部拡大図である。
【図１０】実施の形態２の面状光源装置に用いられるＦＰＣの要部拡大図である。
【図１１】実施の形態２にかかる面状光源装置の要部拡大図である。
【図１２】実施の形態２にかかる面状光源装置の要部拡大図である。
【図１３】図１２をＤ-Ｄ線方向から見た断面図である。
【図１４】実施の形態２にかかる面状光源装置の要部拡大図である。
【図１５】実施の形態２にかかる面状光源装置の要部拡大図である。
【図１６】実施の形態３の面状光源装置に用いられるＦＰＣの要部拡大図である。
【図１７】実施の形態３にかかる面状光源装置の要部拡大図である。
【図１８】実施の形態３にかかる面状光源装置の要部拡大図である。
【図１９】図１８のＥ-Ｅ線方向から見た断面図である。
【図２０】実施の形態４にかかる面状光源装置の要部拡大図である。
【図２１】図２０のＦ-Ｆ線方向から見た断面図である。
【図２２】実施の形態５にかかる面状光源装置の要部拡大図である。
【図２３】実施の形態５にかかる面状光源装置の要部拡大図である。
【発明を実施するための形態】
【００１４】
本発明にかかる表示装置の構成を図面に基づいて説明する。なお、各図において同一の符号を用いたものは、実質的に同様の構成を示す。
【００１５】
図１は本発明における面状光源装置を用いた表示装置構成を説明する分解斜視図、図２は面状光源装置の構成を説明する分解斜視図、図３は面状光源装置に配置されるＦＰＣの要部拡大斜視図である。図４は面状光源装置に配置されるＦＰＣの要部拡大斜視図であり、（ａ）はコネクタを実装した面より見た要部拡大図、（ｂ）はコネクタを実装した面と反対の面より見た要部拡大図である。図５は面状光源装置の要部拡大図、図６は面状光源装置を裏面からみた要部拡大図、図７は図６をＡ-Ａ線方向から見た断面図である。
【００１６】
実施の形態１．
＜表示装置＞
図１に示すように、本発明の表示装置１００は、面状光源装置５０上に表示素子６０を配置し、表示素子６０に背面より光を照射している。表示素子６０と面状光源装置５０は、上フレーム７０により係合して表示装置１００を構成している。
【００１７】
＜面状光源装置＞
次に、図２を用いて、面状光源装置５０を説明する。面状光源装置５０は、光を発光する複数の光源を備えたＦＰＣ１を備え、導光板２の側面である入射面２ａに対向して配置されている。入射面２ａから入射した光は、導光板２内で伝播し、出射面２ｂから出射される。導光板２の出射面２ｂ側には光学シート類３が設けられており、導光板２の反出射面２ｃ側には反射シート４が配置されている。そして、光源を実装したＦＰＣ１、導光板２、光学シート類３および反射シート４を下フレーム５に収納し、中間フレーム６とで挟持し、面状光源装置５０を構成している。なお、中間フレーム６には導光板２の出射面２ｂと対応する位置に、開口部６ａが形成され、開口部６ａより面状の光を出射する。該開口部６ａの大きさは導光板２の外周より内側になるように設計されている。
【００１８】
＜ＦＰＣ＞
図３乃至図５に示すとおり、本実施の形態１で使用されるＦＰＣ１は可撓性のフィルムなどで構成され、ＬＥＤ等の点状光源７が略一列になるよう、実装部１ｆに複数個実装されている。また、ＦＰＣ１は、実装部１ｆの実装面に点状光源７に電力を供給するための配線パターン（図示せず）が形成され、端部にコネクタ８を半田付けにより固定する固定部１ａが設けられている。本実施の形態１において、実装部１ｆの実装面、配線パターン形成面、固定部１ａのコネクタ８の固定面は同一面に形成されている。
【００１９】
さらに、図３に示すとおり、ＦＰＣ１には、固定部１ａの端部より突出する、第１突出部１ｂおよび第２突出部１ｃにより構成される突出部１０が形成されている。突出部１０（第１突出部１ｂおよび第２突出部１ｃ）は、固定部１ａに固定されたコネクタ８に別のコネクタを接続させるために形成された挿入孔８ａの近傍の一辺に対し、反対側の一辺（１ｄ）より、挿入孔８ａと反対の方向に向かって突出している。また、図４（ａ）、（ｂ）に示すように、固定部１ａ、第２突出部１ｃ、第１突出部１ｂとの間には、折り曲げ部１ｄ、１ｅが設けられ、折り曲げ部１ｄおよび１ｅにより、第１突出部１ｂが第２突出部１ｃを介して固定部１ａと対向するように折り曲げられる。
【００２０】
次に、図５乃至図７を用いて、ＦＰＣ１を面状光源装置５０に配置する構成を説明する。図５に示すとおり、ＦＰＣ１は、下フレーム５に配置され、図示しない両面粘着テープにより固定されている。また、ＦＰＣ１の点状光源７が配置されている実装部１ｆは、図２に示した導光板２の入射面２ａと点状光源７とが対向して配置するよう、下フレーム５の内側部５１に沿って配置される。また、コネクタ８の固定部１ａについても下フレーム５の内側部５１に配置される。図５に示すように、ＦＰＣ１は、実装部１ｆとコネクタ８の固定部１ａが下フレーム５の隣接する内側部５１に跨って曲げられて設けられている例を示しているが、ＦＰＣ１は曲げることなく、一内側部５１に沿って設けられていてもよい。また、下フレーム５の底部に設けられてもよい。
【００２１】
また、下フレーム５の底部において、コネクタ８の挿入孔８ａが配置される位置には、孔５２が形成されている。この孔５２にコネクタ８の挿入孔８ａが対応して配置され、固定部１ａが内側部５１に固定される。また、固定部１ａよりコネクタ８の挿入孔８ａと反対の方向に突出した第１突出部１ｂは、折り曲げ部１ｄ、１ｅにより折り曲げられ、下フレーム５の内側部５１と反対の面である外側部５３に対向して配置され、外側部５３に固定される。なお、第２突出部１ｃについては、下フレーム５の内側部５１と外側部５３とを接続する接続部５４に配置される。このような構成により、ＦＰＣ１のコネクタ８の固定部１ａ近傍において、固定部１ａ、第１突出部１ｂ、第２突出部１ｃにより、ＦＰＣ１が下フレーム５の側部を取り囲むように巻き付けられて両面接着テープにより貼り付けられている。
【００２２】
また、図７に示すように、面状光源装置５０を構成する中間フレーム６において、コネクタ８の挿入孔８ａと反対の面８ｂが配置される位置には、突起部６１を形成している。このような構成により、面状光源装置５０として構成される際、コネクタ８の面８ｂが、上フレームの突起部６１と対向して配置される。
【００２３】
本実施の形態１の面状光源装置における作用を説明する。
図７において、ＦＰＣ１の固定部１ａと下フレーム５の内側部５１との固定は、両面粘着テープによる面接着であり、固定部１ａの裏面と内側部５１とが垂直方向で固定されている。ＦＰＣ１の固定部１ａに固定されたコネクタ８と他の電子部品のコネクタ８１とが接続された状態から、コネクタ８１が引き抜かれる場合、コネクタ８は、コネクタ８１を引き抜く方向（コネクタ８の挿入方向と反対の方向）に大きな力Ｂを受ける。この力Ｂは、コネクタ８からＦＰＣ１の固定部１ａに伝わるが、ＦＰＣ１の固定部１ａの端部から突出する第１突出部１ｂが第２の突出部１ｃを介して、下フレーム５の内側部５１と反対の面である外側部５３に固定されているため、コネクタ８の固定部１ａ近傍で下フレーム５との接着面積が十分確保されて分散され、コネクタ８近傍のＦＰＣ１が下フレーム５から剥がれて、ＦＰＣ１がずれることを防止できる。
【００２４】
また、力Ｂによりコネクタ８の固定部１ａに加わる力は、内側部５１に対し主に平行な方向であり、固定部１ａと下フレーム５の内側部５１との固定に使用される両面粘着テープの接着面がずれる方向の力（せん断応力）である。また、固定部１ａと隣接する第２突出部１ｃに力が伝わると、下フレーム５の接続部５４に対し、垂直な方向に力（圧縮応力）が加わる。さらに、第１突出部１ｂが内側部５１と反対の面である外側部５３と面接着により固定されているため、固定部１ａと下フレーム５の内側部５１とがずれる方向の力（せん断応力）を抑制することができる。
【００２５】
また、ＦＰＣ１に固定されたコネクタ８に他の電子部品のコネクタ８１を挿入する方向に力Ｃが加わる場合、ＦＰＣ１は、固定部１ａが下フレーム５の内側部５１に両面粘着テープで接着され固定されており、コネクタ８のずれを防止している。また、本発明においては、中間フレーム６のコネクタ８の挿入孔８ａと反対の面８ｂが、中間フレーム６の突起部６１と対向して配置されているため、面８ｂを介して突起部６１で力を受けることにより、コネクタ８の位置がずれることが防止するとともにＦＰＣ１がずれることを防止できる。
【００２６】
上記説明したとおり、本実施の形態１による面状光源装置によれば、ＦＰＣ１のコネクタ８を固定する固定部１ａの端部より、第２突出部１ｃ、第１突出部１ｂからなる突出部１０を形成し、下フレーム５の内側部５１、接続部５４、外側部５３に、ＦＰＣ１を下フレーム５の側部を取り囲むように配置して固定する構成とする。これにより、コネクタ８より他の電子部品のコネクタ８１を引き抜く方向に加わった力Ｂにより、固定部１ａに集中するせん断応力を、接着面積を確保することにより分散させて、ＦＰＣ１の固定部１ａが下フレーム５からずれることを防止できる。また、第１突出部１ｂを内側部５１と反対の面である外側部５３に面接着により固定させて、固定部１ａに加わる力を抑制することにより、ＦＰＣ１の固定部１ａが、下フレーム５からずれることを防止することができる。
【００２７】
よって、面状光源装置５０において、コネクタ８近傍のＦＰＣ１（固定部１ａ）の位置がずれることにより、他の電子部品のコネクタ８１が正確な状態（斜めの状態など）で接続されないことなどを防止し、点状光源７に電力が供給されないまたはコネクタが損傷することを防止することができる。これにより、信頼性の高い面状光源装置５０を構成することができる。
【００２８】
また、中間フレーム６に形成された突起部６１により、コネクタ８の挿入孔８ａと反対の面８ｂを支持固定するため、他の電子部品のコネクタ８１を挿入する方向に加わった力Ｃによって、コネクタ８の位置がずれることを防止することができる。
【００２９】
また、コネクタ８近傍のＦＰＣ１（固定部１ａ）の位置がずれることを防止できるため、コネクタ８、８１同士の接続の際、コネクタ８がコネクタ８１と接触した際、離れる方向に移動することを防止して、より確実にコネクタ同士を接続させることができる。
【００３０】
図８、図９に実施の形態の１の変形例に係るＦＰＣ１の要部拡大図を示す。本実施の形態１において、ＦＰＣ１のコネクタ８の固定部１ａ近傍に設けた第１突出部１ｂ、第２の突起部１ｃは、コネクタ８の挿入孔８ａ近傍に位置する一辺に対し、反対側の一辺（１ｄ）より挿入孔８ａとは反対方向に向かって突出して形成したが、図８に示すよう、コネクタ８の固定部１ａにおいて、第１の突出部１ｂ、第２の突出部１ｃと相反する方向にも突出部を設けてもよい。コネクタ８の挿入部８ａ近傍の一辺に第４の突出部１ｃ１を介して第３の突出部１ｂ１を形成し、下フレーム５の側部を取り囲むように巻きつけて接着させてもよい。このように形成することで、図７において、ＦＰＣ１のコネクタ８に他の電子部品のコネクタ８１が挿入する方向（Ｃ）または引き抜く方向（Ｂ）の力うち、いずれの方向の力が作用する場合であっても、コネクタ８が形成されている近傍のＦＰＣ１の位置がずれることを防止することできる。また、図９に示すように、コネクタ８の挿入孔８ａ近傍の一辺と反対側の一辺に設けた第１の突出部１ｂ２、第２の突出部１ｃ２と、コネクタ８の挿入孔８ａ近傍の一辺に設けた第３の突出部１ｃ３、第４の突起部１ｂ３とが、互いに対応しない位置（非対称）から突出させ、相反する方向に突出させてもよい。このように形成することでＦＰＣ１のコネクタ８の固定部１ａに設けられた第１、２の突出部１ｂ２、１ｃ２と、第３、第４の突出部１ｂ３、1ｃ３と、が互いに重なることなく、下フレーム５の側部を取り囲むように配置することにより、接着力を確保することができる。
【００３１】
実施の形態２．
図１０は、実施の形態２の面状光源装置に用いられるＦＰＣ１の要部拡大図であり、（ａ）はＦＰＣ１の正面図、（ｂ）はＦＰＣ１の側面図、（ｃ）はＦＰＣ１の裏面図である。図１１は実施の形態２の面状光源装置において、ＦＰＣ１を配置する前の状態の要部拡大図、図１２は実施の形態２の面状光源装置において、ＦＰＣ１を配置した状態の要部拡大図、図１３は図１２をＤ−Ｄ方向から見た断面図である。また、図１４、１５は面状光源装置５０において、板状部材９を備えたＦＰＣ１を下フレーム５の側部に配置する要部拡大図であり、図１４はＦＰＣ１を配置する前の様子、図１５はＦＰＣ１を下フレーム５に配置した後の状態を示している。
【００３２】
実施の形態１における面状光源装置５０は、ＦＰＣ１のコネクタ８を固定する固定部１ａの端部より、第２突出部１ｃ、第１突出部１ｂからなる突出部１０を形成し、下フレーム５の内側部５１、接続部５４、外側部５３に、ＦＰＣ１を下フレーム５の側部を取り囲むように配置して固定する構成であったが、本実施の形態２においては、図１０乃至図１３に示す通り、ＦＰＣ１のコネクタ８を固定した固定部１ａの表面１１に対し反対の裏面１２に板状部材９を備えている。また、板状部材９と対向する下フレーム５に、板状部材９に対応した形状の凹部５５を設け、板状部材９と凹部５５を嵌合させる。なお、本構成以外は、実施の形態１と同様であり、以下で説明する本実施の形態２に係る面状光源装置の特有の作用効果以外は、説明を省略する。
【００３３】
図１０に示すように、本実施の形態２の面状光源装置に用いられるＦＰＣ１は、コネクタ８を固定部１ａの表面１１に固定し、表面１１と反対の面である裏面１２に板状部材９を備えている。板状部材９は、コネクタ８を配置する位置に対応して貼り付けられる。板状部材９は、ＦＰＣ１を下フレーム５に貼り付ける際に用いられる両面粘着テープ１３よりも接着強度が高い接着剤１５を用いてＦＰＣ１の固定部１ａの裏面１１に接着固定されている。
【００３４】
板状部材９は、０．５ｍｍ〜０．８ｍｍの厚みを有する板状の部材であって、一例として矩形状で形成されている。また、板状部材９は、樹脂や金属を含む材料で形成される。
【００３５】
また、図１１乃至図１３に示す通り、下フレーム５のＦＰＣ１のコネクタ８の固定部１ａを配置する位置には、板状部材９に対応した形状の凹部５５が形成されている。凹部５５は、一例として矩形状で形成された板状部材９に対応して矩形状で形成され、板状部材９よりも大きいサイズで形成されている。
【００３６】
ＦＰＣ１を下フレーム５に配置する際、両面接着テープ１３を用いて下フレーム５の内側部５１に接着固定される。コネクタ８を配置する位置に対応して貼り付けられた板状部材９は凹部５５に嵌合させて配置される。
【００３７】
図１４、図１５に示すように、実施の形態１と同様、ＦＰＣ１は点状光源７が配置されている実装部１ｆが、図２に示す導光板２の入射面２ａと点状光源７とが対向して配置するよう、下フレーム５の内側部５１に沿って配置される。また、コネクタ８の固定部１ａについても下フレーム５の内側部５１に配置され、板状部材９（図示せず）が凹部５５に収納される。なお、図１４、図１５では、ＦＰＣ１は、実装部１ｆとコネクタ８の固定部１ａが下フレーム５の隣接する内側部５１に跨って曲げられて設けられている例を示しているが、ＦＰＣ１は曲げることなく、一内側部５１に沿って設けられていてもよい。また、下フレーム５の底部に設けられてもよい。
【００３８】
次に、図１３を用いて、本実施の形態２の作用を説明する。ＦＰＣ１に固定されたコネクタ８に他の電子部品のコネクタ８１が接続された状態から、コネクタ８１を引き抜く場合、コネクタ８は、コネクタ８１を引き抜く方向（コネクタ８１の挿入方向と反対の方向）に大きな力Ｂを受け、コネクタ８からＦＰＣ１の固定部１ａに伝わる。このとき、ＦＰＣ１と下フレーム５を接着固定している両面接着テープ１３の接着面にせん断応力が加わり、板状部材９が力Ｂの方向に移動する力が働くが、コネクタ８の挿入孔８ａ近傍において、下フレーム５の凹部５５の側面５５ａに板状部材９の側面９ａが対向して配置されているため、板状部材９の側面９ａが凹部５５の側面５５ａと当接する。板状部材９をＦＰＣ１に固定する接着材１５は両面接着テープ１３よりも接着力が強いため、板状部材９の側面９ａと凹部５５の側面５５ａとの当接により、ＦＰＣ１の移動を規制するため、ＦＰＣ１が下フレーム５からずれることを防止するとともに、コネクタ８の位置がずれることを防止することができる。
【００３９】
なお、他の電子部品のコネクタ８１を挿入する方向に力Ｃを受ける場合については、コネクタ８の挿入孔８ａと離れた位置の下フレーム５の凹部５５の側面５５ａに板状部材９の側面９ａが当接して、板状部材９が移動することを防止することにより、同様の効果を得ることができる。
【００４０】
以上説明した通り、本実施の形態２における面状光源装置によれば、ＦＰＣ１のコネクタ８の固定部１ａの裏面１２に設けた板状部材９と、板状部材９に対応する下フレーム５の凹部５５とを嵌合させることにより、コネクタ８に加わる外力により、ＦＰＣ１がずれることを防止するとともに、コネクタ８が移動することを防止することができる。
【００４１】
また、板状部材９に対応する位置に形成される下フレーム５には、凹部５５を形成していたが、穴形状としてもよい（図示せず）。下フレーム５に穴を設ける構造であるため、凹部５５形成時と比較して、内側面、外側面のいずれの方向からでも形成することができるため、製造が容易である。
【００４２】
実施の形態３．
図１６は実施の形態３のＦＰＣの要部拡大図、図１７は面状光源装置において、ＦＰＣ１を配置する前の状態の要部拡大図、図１８は実施の形態２の面状光源装置において、ＦＰＣ１を配置した状態の要部拡大図、図１９は図１８をＥ−Ｅ方向から見た断面図である。実施の形態２においては、ＦＰＣ１のコネクタ８を固定した固定部１ａの表面１１と反対の面である裏面１２に板状部材９を備え、板状部材９と対向する下フレーム５に、板状部材９に対応した形状の凹部５５を設けてＦＰＣ１を配置したが、本実施の形態３では、図１６乃至図１９に示すように、ＦＰＣ１のコネクタ８の固定部１ａと、点状光源７が配置されている実装部１ｆとの間に折り曲げ部１ｇ、１ｈを設け、段差を備えたＦＰＣ１とし、コネクタ８の固定部１ａを下フレーム５に設けた凹部５５に配置する構成とした。なお、以下で説明する本実施の形態３に係る面状光源装置の特有の構成、作用効果以外は、実施の形態１または２と同様であり、説明を省略する。
【００４３】
図１６に示すように、本実施の形態３の面状光源装置に配置されるＦＰＣ１は、折り曲げ部１ｇ、１ｈによりＦＰＣ１のコネクタ８の固定部１ａ、実装部１ｆとの間に段差を設ける構造とする。そして、図１７、図１８に示すように、段差が形成されたコネクタ８の固定部１ａを下フレーム５に設けた凹部５５に配置する。図１９に示すように、段差が形成された固定部１ａのＦＰＣ１の裏面１２は、両面粘着テープ１３により凹部５５内に貼り付けられている。また、ＦＰＣ１の側面１４は凹部５５の側面５５ａと対向するように配置されている。
【００４４】
図１９に示すように、段差が形成されたＦＰＣ１のコネクタ固定部１ａを下フレーム５に設けた凹部５５に貼り付けているため、コネクタ８に他の電子部品のコネクタ８１の挿抜により、外力ＢおよびＣが加わった場合であっても、両面接着テープ１３により、面接着されているため、ＦＰＣ１の移動を規制する。また、両面接着テープ１３に外力が加わった場合であっても、ＦＰＣ１の側面１４が凹部５５の側面５５ａと対向して配置されていることにより、ＦＰＣ１の固定部１ａの側面１４が凹部５５ａに当接して、ＦＰＣ１が下フレーム５からずれることを防止するとともに、コネクタ８の位置がずれることを防止することができる。
【００４５】
また、段差を設けたＦＰＣ１を凹部５５に配置し、凹部５５に両面接着テープ１３で貼り付ける構成であるため、下フレーム５の厚みが厚くなること防止することができる。
【００４６】
実施の形態４．
図２０は実施の形態４にかかる面状光源装置の要部拡大図、図２１は図２０のＦ-Ｆ線方向から見た断面図である。実施の形態３では、ＦＰＣ１のコネクタ８の固定部１ａと、点状光源７が配置されている実装部１ｆとの間に折り曲げ部１ｇ、１ｈを設け、コネクタ８の固定部１ａを下フレーム５に設けた凹部５５に配置する構成としたが、本実施の形態４においては、図２０、２１に示すように、下フレーム５に設けた凹部５６は、底部５６ａが上部５６ｂに対し傾斜を備え、コネクタ８を傾斜して配置している。なお、以下で説明する本実施の形態４に係る面状光源装置の特有の構成、作用効果以外は、前述した実施の形態１乃至３と同様であり、説明を省略する。
【００４７】
図２０に示すように、本実施の形態４の面状光源装置に配置されるＦＰＣ１は、実施の形態３で用いられたＦＰＣ１と同様、折り曲げ部１ｇ、１ｈによりＦＰＣ１のコネクタ８の固定部１ａ、実装部１ｆとの間に段差を設ける構造とする。そして、図２０、２１に示すように、段差が形成されたコネクタ８の固定部１ａを下フレーム５に設けた底部５６ａに傾斜を有した凹部５６に配置する。また、凹部５６は上部５６ｂに対し傾斜しており、コネクタ挿入孔８ａと反対の面８ｂとが傾斜を備える斜面を底部５６ａに有する。図２１において、コネクタ８の挿入孔８ａがコネクタ挿入孔８ａに対し反対の面８ｂよりも高い位置に配置されている。また、図２０、図２１に示すように、段差が形成された固定部１ａのＦＰＣ１の裏面１２は、両面粘着テープ１３により凹部５６内に貼り付けられる。ＦＰＣ１の側面１４は凹部５６の側面５６ｃと対向するように配置されている。
【００４８】
図２１に示すように、段差が形成されたＦＰＣ１のコネクタ固定部１ａを下フレーム５に傾斜を備えた凹部５６に貼り付けているため、コネクタ８に他の電子部品のコネクタ８１を挿抜する際に外力Ｃが加わった場合、両面接着テープ１３により、面接着されているため、ＦＰＣ１の移動を規制する。このとき、両面接着テープ１３に外力Ｃが加わった場合、ＦＰＣ１の側面１４が凹部５６の側面５６ｃと対向して配置されていることにより、凹部５６の側面５６ｃと対向するＦＰＣ１の側面１４に当接して、ＦＰＣ１の移動を規制するため、ＦＰＣ１が下フレーム５からずれることを防止するとともに、コネクタ８の位置がずれることを防止することができる。
【００４９】
実施の形態５．
図２２は実施の形態５にかかるＦＰＣ１の要部拡大図、図２３は面状光源装置の要部拡大図である。実施の形態４においては、下フレーム５に設けた凹部５６は、底部５６ａが上部５６ｂに対し傾斜を備え、段差を備えたＦＰＣ１を収納する構造としていた。本実施の形態５においては、ＦＰＣ１を折り曲げ部１ｍに沿って折り曲げ、固定部１ａを傾斜させ、このＦＰＣ１の固定部１ａに対応する凹部５７についても底部に傾斜面を備える構造とした。なお、以下で説明する本実施の形態５に係る面状光源装置の特有の構成、作用効果以外は、実施の形態１乃至４と同様であり、説明を省略する。
【００５０】
図２２、図２３に示すように本実施の形態５の面状光源装置に配置されるＦＰＣ１は、実施の形態３、４で設けた段差部の代わりに、折り曲げ部１ｍに沿って折り曲げられ、コネクタ８の固定部１ａを点状光源７の実装部１ｆに対し傾斜させている。そして、固定部１ａを下フレーム５に設けた傾斜を備える凹部５７に収納する。固定部１ａの裏面１２は両面接着テープにより貼り付けられている（図示せず）。このような構成により、コネクタ８に他の電子部品のコネクタ８１を挿抜する際に外力が加わった場合であっても、両面接着テープにより、面接着されているため、ＦＰＣ１の移動を規制する。また、凹部５７の側面５７ａとＦＰＣ１のコネクタ８の固定部１ａにおける側部１４とが当接して、ＦＰＣ１が下フレーム５からずれることを防止するとともに、コネクタ８の位置がずれることを防止することができる。
【００５１】
なお、ＦＰＣ１は、折り曲げ部１ｍに沿って傾斜させる構造であるため、実施の形態３、４で形成した段差部と比較して、製造が容易である。
【００５２】
なお、本発明において、上記各実施の形態で限定されるものではなく、本発明を逸脱しない範囲で適宜変更、組合せが可能である。たとえば、ＦＰＣ１と下フレーム５との固定は、両面接着テープに限らず嵌合などを用いてもよい。
【符号の説明】
【００５３】
１  ＦＰＣ、  １ａ  固定部、１ｂ  第１の突出部、  １ｃ  第２の突出部
１ｄ、１ｅ  折り曲げ部、  1ｆ  実装部、１０  突出部、１１  表面、  １２  裏面、
１３  両面接着テープ、１４  側部、２  導光板、  ３  光学シート類、  ４  反射板、５  下フレーム、５１  内側部、５２  開口部、  ５３  外側部、５４  接続部、
５５  凹部、５５ａ  凹部の側面、５６、５７  凹部、
６  中間フレーム、  ７  点状光源、  ８  コネクタ、８ａ  コネクタの挿入孔、
９  板状部材、９ａ  板状部材の側面、
５０  面状光源装置、６０  表示素子、  ７０  上フレーム、１００  表示装置。
【図１】
0005909913.tif 000002
【図２】
0005909913.tif 000003
【図３】
0005909913.tif 000004
【図４】
0005909913.tif 000005
【図５】
0005909913.tif 000006
【図６】
0005909913.tif 000007
【図７】
0005909913.tif 000008
【図８】
0005909913.tif 000009
【図９】
0005909913.tif 000010
【図１０】
0005909913.tif 000011
【図１１】
0005909913.tif 000012
【図１２】
0005909913.tif 000013
【図１３】
0005909913.tif 000014
【図１４】
0005909913.tif 000015
【図１５】
0005909913.tif 000016
【図１６】
0005909913.tif 000017
【図１７】
0005909913.tif 000018
【図１８】
0005909913.tif 000019
【図１９】
0005909913.tif 000020
【図２０】
0005909913.tif 000021
【図２１】
0005909913.tif 000022
【図２２】
0005909913.tif 000023
【図２３】
0005909913.tif 000024